(57)【要約】  本発明は、ドアクローザの滑り部材（２）のための、ケーシング（３）を備えた滑りレール（１）に関する。このケーシング（３）が、ストッパ壁（４）と、該ストッパ壁（４）に向かい合って配置されている端壁（５）と、該ストッパ壁（４）と端壁（５）とを結合しているカバー壁（６）と、これらの壁（４，５，６）によって制限されている、滑り部材（２）を収容するための内室（７）と、カバー壁（６）に向かい合って配置されていてかつケーシングの全延長方向にわたって延在している長手方向スリット（８）とを有している。この場合にストッパ壁（４）の高さ（Ｈ１）は端壁（５）の高さ（Ｈ２）よりも大きい。
2007524014.tif 000002
【特許請求の範囲】
【請求項１】
ドアクローザの滑り部材（２）のための滑りレール（１）であって、ケーシング（３）を有しており、該ケーシング（３）が、ストッパ壁（４）と、該ストッパ壁（４）に向かい合って配置されている端壁（５）と、該ストッパ壁（４）と該端壁（５）とを結合しているカバー壁（６）と、これらの壁（４，５，６）によって制限されている、滑り部材（２）を収容するための内室（７）と、カバー壁（６）に向かい合って配置されていてかつケーシングの全延長方向にわたって延在している長手方向スリット（８）とを有している形式のものにおいて、
ストッパ壁（４）の高さ（Ｈ１）が、端壁（５）の高さ（Ｈ２）よりも大きいことを特徴とする、ドアクローザの滑り部材のための滑りレール。
【請求項２】
カバー壁（６）が、ストッパ壁（４）から端壁（５）に向かって下方に湾曲して形成されている、請求項１記載の滑りレール。
【請求項３】
カバー壁（６）が、ストッパ壁（４）から端壁（５）に向かって平らに下降して形成されている、請求項１記載の滑りレール。
【請求項４】
内室（７）が、滑り部材（２）の支持面（１５，１６，１７，１８，１９，２０）のための、ケーシングの全延長方向にわたって延在しているガイド面（９，１０，１１，１２，１３，１４）を有している、請求項１から３までのいずれか１項記載の滑りレール。
【請求項５】
ストッパ壁（４）が、少なくとも１つの切欠（２１）を有している、請求項１から４までのいずれか１項記載の滑りレール。
【請求項６】
カバー壁（６）が、少なくとも１つの切欠（２２）を有している、請求項１から４までのいずれか１項記載の滑りレール。
【請求項７】
ストッパ壁（４）が、ケーシングの全延長方向にわたって延在しているリブ（２３）を有していて、該リブ（２３）に、ガイド面（９，１０，１１，１２，１３，１４）の第１のグループ（９，１０，１１）のうちの１つのガイド面（１１）が配置されている、請求項１から６までのいずれか１項記載の滑りレール。
【請求項８】
ストッパ壁（４）が、ケーシングの全延長方向にわたって延在していて、かつ内室（７）内に突出している突出部（２４）を有しており、該突出部（２４）にガイド面（９，１０，１１，１２，１３，１４）のうちの１つのガイド面（９）が配置されていて、該ガイド面（９）はリブ（２３）に配置されたガイド面（１１）に向かい合っていて、かつこのガイド面（１１）に対して平行に延在している、請求項１から７までのいずれか１項記載の滑りレール。
【請求項９】
ガイド面（９，１０，１１）のうちの第３のガイド面（１０）が、第１および第２のガイド面（９もしくは１１）に対して直角を成して配置されている、請求項７または８記載の滑りレール。
【請求項１０】
ガイド面（９，１０，１１，１２，１３，１４）の第２のグループ（１２，１３，１４）が、３つのガイド面（１２，１３，１４）を有していて、これらのガイド面（１２，１３，１４）が、互いに直角に配置されていて、ガイド面（１２，１３，１４）のうちの第１のガイド面（１４）がカバー壁（６）に、ガイド面（１２，１３，１４）のうちの第２のガイド面（１３）が端壁（５）に、ガイド面（１２，１３，１４）のうちの第３のガイド面（１４）が、ケーシングの全延長方向にわたって延在している突出部（２５）に配置されていて、該突出部（２５）が、端壁（５）から内室（７）内に突出している、請求項１から９までのいずれか１項記載の滑りレール。
【請求項１１】
請求項１から１０までのいずれか１項記載の滑りレール（１）のための、滑りレール輪郭（２６）を備えた滑り部材（２）であって、該滑りレール輪郭（２６）に支持面（１５，１６，１７，１８，１９，２０）が配置されている形式のものにおいて、
滑りレール（１）のケーシング（３）の輪郭に合致した底部壁（２７）が設けられていることを特徴とする、滑りレールのための滑り部材。
【請求項１２】
底部壁（２７）が、互いに角度を成して配置されている２つの部分壁（２８，２９）を有している、請求項１１記載の滑り部材。
【請求項１３】
底部壁（２７）が、湾曲した延在形状を有している、請求項１１記載の滑り部材。
【発明の詳細な説明】
【技術分野】
【０００１】
本発明は、請求項１の上位概念部に記載した滑りレール、および請求項１１の上位概念部に記載した滑り部材に関する。
【０００２】
冒頭で述べた滑りレールは、例えばドイツ連邦共和国特許出願公開第３７０１３００号明細書の図６から公知である。滑りレールは方形の横断面を有する１つのケーシングを有しているので、箱状の、ややかさばった感じのケーシング形状が生ぜしめられる。ケーシング内には室が設けられており、この室内で、ドアクローザの操作アームに接続されている滑り部材を滑りレールの長手方向に摺動させることができる。
【０００３】
これに対して、本発明の課題は、請求項１の上位概念部に記載した形式の、滑り部材を備えた滑りレールを改良して、最適な機能性と共にスマートなケーシング輪郭を有し、しかも滑りレールに適合した滑り部材を備えたものを提供することである。
【０００４】
この課題は、請求項１の特徴部によって解決される。
【０００５】
本発明による滑りレールのケーシングのストッパ壁の高さを、ストッパ壁に向かい合って配置されている端壁の高さよりも大きくすることで、スリムなケーシング輪郭を実現することができる。このようなスリムなケーシング輪郭によってスマートなケーシング形状が得られ、この場合、ケーシング重量がやや軽量になる利点をもたらす。なぜならば、端壁の高さが僅かであることによって材料節約が可能になるからである。このような構成によって同時に、ドアまたは壁またはこれらに類似したものに固定するための頑丈な底部がストッパ壁に形成される。
【０００６】
さらに、本発明による滑りレールのケーシングに屋根状の輪郭を形成することができる。
【０００７】
この場合、有利には、やや湾曲したカバー壁によってケーシング輪郭の外観形状をさらに改良することができる。
【０００８】
請求項２以下には、本発明の有利な構成が記載されている。
【０００９】
以下に、実施例を図面に基づき詳細に説明する。
【００１０】
図１は、本発明による滑りレールの断面図、
図２は、図１の滑りレールと組合せ可能な滑り部材の斜視図である。
【００１１】
図１は断面図であり、ドアクローザの滑り部材２のための、ケーシング３を備えた滑りレール１を示している。ケーシング３はストッパ壁４と、このストッパ壁４に向かい合って配置されている端壁５とを有している。さらに、図１には、ストッパ壁４と端壁５とを結合しているカバー壁６と、これらの壁４，５，６によって制限されている、滑り部材２を収容するための内室７と、カバー壁６に向かい合って配置されていてかつケーシングの全延長方向にわたって延在している長手方向スリット８とが示されている。
【００１２】
本発明の主な特徴は、ストッパ壁４の高さＨ１が、端壁５の高さＨ２よりも大きいことである。
【００１３】
図１から分かるように、カバー壁６はストッパ壁４から端壁５に向かって下方に湾曲して形成されている。図１には示されていないが、この実施例に対して択一的に、カバー壁６はストッパ壁４から端壁５に向かって平らに下降して、または凹状に形成されていてもよい。
【００１４】
図１に示されているように、内室７は、滑り部材２の支持面１５，１６，１７，１８，１９，２０のための、ケーシングの全延長方向にわたって延在しているガイド面９，１０，１１，１２，１３，１４を有している。
【００１５】
ケーシング重量がやや軽量であるという利点は、ストッパ壁４が、材料節約のために少なくとも１つの切欠２１を有していて、カバー壁６が、材料節約のために少なくとも１つの切欠２２を有していることによってもたらされる。
【００１６】
さらに、図１から明らかなように、ストッパ壁２４は、ケーシングの全延長方向にわたって延在しているリブ２３を有しており、このリブ２３にガイド面９，１０，１１，１２，１３，１４の第１のグループ９，１０，１１のうちの１つのガイド面１１が配置されている。
【００１７】
さらに、図１から明らかなように、ストッパ壁４は、ケーシングの全延長方向にわたって延在していてかつ内室７内に突出している突出部２４を有している。この突出部２４にガイド面９，１０，１１，１２，１３，１４のうちの１つのガイド面９が配置されていて、このガイド面９は、リブ２３に配置されているガイド面１１に向かい合っていて、かつこのガイド面１１に対して平行に延在している。
【００１８】
ガイド面９，１０，１１のうちの第３のガイド面１０は、第１および第２のガイド面９もしくは１１に対して直角に設けられている。さらに、ガイド面９，１０，１１，１２，１３，１４の第２のグループ１２，１３，１４は、３つのガイド面１２，１３，１４を有している。これらのガイド面１２，１３，１４は互いに直角に配置されていて、この場合、ガイド面１２，１３，１４のうちのガイド面１４はカバー壁６に、第２のガイド面１３は端壁５に、そしてガイド面１２，１３，１４のうちの第３のガイド面１２はケーシングの全延長方向にわたって延在している突出部２５に配置されており、この突出部２５は端壁５から内室７内に突出している。
【００１９】
図２は、所定の滑りレール輪郭２６を有する、滑りレール１のための滑り部材２の斜視図である。この滑り部材２に支持面１５，１６，１７，１８，１９，２０が配置されている。さらに、滑りレール１のケーシング３の輪郭に合致した底部壁２７が図示されている。
【００２０】
さらに図２には、底部壁２７が、互いに角度を成して配置されている２つの部分壁２８，２９を有していることが示されている。これらの部分壁２８，２９はまっすぐにまたは湾曲して（所定の曲率半径で）延在することができる。
【図面の簡単な説明】
【００２１】
【図１】本発明による滑りレールの断面図である。
【図２】図１の滑りレールと組合せ可能な滑り部材の斜視図である。
【符号の説明】
【００２２】
１  滑りレール、  ２  滑り部材、  ３  ケーシング、  ４  ストッパ壁、  ５  端壁、  ６  カバー壁、  ７  内室、  ８  長手方向スリット、  ９，１０，１１，１２，１３，１４  ガイド面、  １５，１６，１７，１８，１９，２０  支持面、  ２１，２２  切欠、  ２３  リブ、  ２４，２５  突出部、  ２６  滑りレール輪郭、  ２７  底部壁、  ２８  部分壁
【図１】
2007524014.tif 000003
【図２】
2007524014.tif 000004
【国際調査報告】
2007524014.tif 000005
2007524014.tif 000006
2007524014.tif 000007
2007524014.tif 000008
2007524014.tif 000009
2007524014.tif 000010